(57)【要約】【課題】椅子が引き摺られる時に発生する椅子の脚のびびり音を低減しつつ、椅子の座り心地を安定させる。【解決手段】椅子の脚200の下面と床面との間に配置される防音具100において、圧縮コイルばね100aと、圧縮コイルばね100aの上側に配置される上側部材100bと、圧縮コイルばね100aの下側に配置される下側部材100cとを設け、圧縮コイルばね100aより変形しづらい材料によって上側部材100bおよび下側部材100cを形成し、上側部材100bを椅子の脚200の下面に対して直接的または間接的に接続し、椅子の使用時に、圧縮コイルばね100aが押し潰されて、上側部材100bの下面100b2a,100b3aと、下側部材100cの上面100c1b,100c2aとが当接し、椅子が引き摺られる時に、圧縮コイルばね100aが延びて、上側部材100bの下面100b2a,100b3aと、下側部材100cの上面100c1b2,100c2aとが離間する。【選択図】図３
2015013049.tif 000002
【特許請求の範囲】
【請求項１】
椅子の脚（２００）の下面と床面との間に配置される防音具（１００）において、
圧縮コイルばね（１００ａ）と、圧縮コイルばね（１００ａ）の上側に配置される上側部材（１００ｂ）と、圧縮コイルばね（１００ａ）の下側に配置される下側部材（１００ｃ）とを設け、
圧縮コイルばね（１００ａ）より変形しづらい材料によって上側部材（１００ｂ）を形成し、
圧縮コイルばね（１００ａ）より変形しづらい材料によって下側部材（１００ｃ）を形成し、
上側部材（１００ｂ）を椅子の脚（２００）の下面に対して直接的または間接的に接続し、
椅子の使用時に、圧縮コイルばね（１００ａ）が押し潰されて、上側部材（１００ｂ）の下面（１００ｂ２ａ，１００ｂ３ａ）と、下側部材（１００ｃ）の上面（１００ｃ１ｂ，１００ｃ２ａ）とが当接し、
椅子が引き摺られる時に、圧縮コイルばね（１００ａ）が延びて、上側部材（１００ｂ）の下面（１００ｂ２ａ，１００ｂ３ａ）と、下側部材（１００ｃ）の上面（１００ｃ１ｂ，１００ｃ２ａ）とが離間することを特徴とする防音具（１００）。
【請求項２】
圧縮コイルばね（１００ａ）の上端部（１００ａ１）に当接するばね座部（１００ｂ１）と、圧縮コイルばね（１００ａ）の外周面に対向する壁部（１００ｂ２）と、壁部（１００ｂ２）の外側に位置する外周部（１００ｂ３）とを、上側部材（１００ｂ）に形成し、
上側部材（１００ｂ）の壁部（１００ｂ２）の下端部にフック部（１００ｂ２ｂ）を形成し、
床面に当接する底部（１００ｃ１）と、上側部材（１００ｂ）の外周部（１００ｂ３）に対向する壁部（１００ｃ２）とを、下側部材（１００ｃ）に形成し、
圧縮コイルばね（１００ａ）が延びた時に上側部材（１００ｂ）の壁部（１００ｂ２）のフック部（１００ｂ２ｂ）に係止するフック部（１００ｃ２ｂ）を、下側部材（１００ｃ）の壁部（１００ｃ２）の上端部に形成し、
椅子が引き摺られる時に、圧縮コイルばね（１００ａ）が延びて、上側部材（１００ｂ）の壁部（１００ｂ２）の下面（１００ｂ２ａ）と、下側部材（１００ｃ）の底部（１００ｃ１）の上面（１００ｃ１ｂ）とが離間すると共に、上側部材（１００ｂ）の外周部（１００ｂ３）の下面（１００ｂ３ａ）と、下側部材（１００ｃ）の壁部（１００ｃ２）の上面（１００ｃ２ａ）とが離間し、
椅子の使用時に、圧縮コイルばね（１００ａ）が押し潰されて、上側部材（１００ｂ）の壁部（１００ｂ２）の下面（１００ｂ２ａ）と、下側部材（１００ｃ）の底部（１００ｃ１）の上面（１００ｃ１ｂ）とが当接すると共に、上側部材（１００ｂ）の外周部（１００ｂ３）の下面（１００ｂ３ａ）と、下側部材（１００ｃ）の壁部（１００ｃ２）の上面（１００ｃ２ａ）とが当接することを特徴とする請求項１に記載の防音具（１００）。
【発明の詳細な説明】
【技術分野】
【０００１】
本発明は、椅子の脚の下面と床面との間に配置される防音具に関し、特には、椅子が引き摺られる時に発生する椅子の脚のびびり音を低減しつつ、椅子の座り心地を安定させることができる防音具に関する。
【背景技術】
【０００２】
従来から、椅子の脚の下面と床面との間に配置される防音具が知られている。この種の防音具の例としては、例えば特許文献１（特開２００１−２８６３６１号公報）の図１および図２に記載されたものがある。
【０００３】
特許文献１の図１および図２に記載された防音具では、椅子の脚の下面と床面との間に弾性体が配置される。そのため、特許文献１の図１および図２に記載された防音具では、椅子が引き摺られる時に発生する椅子の脚のびびり音を低減することができる。
【０００４】
ところで、特許文献１の図１および図２に記載された防音具では、椅子が引き摺られる時のみならず、椅子の使用時にも、椅子の脚の下面と床面との間に弾性体が介在する。そのため、特許文献１の図１および図２に記載された防音具では、椅子の使用時における椅子の座り心地が不安定になってしまう。
【先行技術文献】
【特許文献】
【０００５】
【特許文献１】特開２００１−２８６３６１号公報
【発明の概要】
【発明が解決しようとする課題】
【０００６】
前記問題点に鑑み、本発明は、椅子が引き摺られる時に発生する椅子の脚のびびり音を低減しつつ、椅子の座り心地を安定させることができる防音具を提供することを目的とする。
【課題を解決するための手段】
【０００７】
請求項１に記載の発明によれば、椅子の脚（２００）の下面と床面との間に配置される防音具（１００）において、
圧縮コイルばね（１００ａ）と、圧縮コイルばね（１００ａ）の上側に配置される上側部材（１００ｂ）と、圧縮コイルばね（１００ａ）の下側に配置される下側部材（１００ｃ）とを設け、
圧縮コイルばね（１００ａ）より変形しづらい材料によって上側部材（１００ｂ）を形成し、
圧縮コイルばね（１００ａ）より変形しづらい材料によって下側部材（１００ｃ）を形成し、
上側部材（１００ｂ）を椅子の脚（２００）の下面に対して直接的または間接的に接続し、
椅子の使用時に、圧縮コイルばね（１００ａ）が押し潰されて、上側部材（１００ｂ）の下面（１００ｂ２ａ，１００ｂ３ａ）と、下側部材（１００ｃ）の上面（１００ｃ１ｂ，１００ｃ２ａ）とが当接し、
椅子が引き摺られる時に、圧縮コイルばね（１００ａ）が延びて、上側部材（１００ｂ）の下面（１００ｂ２ａ，１００ｂ３ａ）と、下側部材（１００ｃ）の上面（１００ｃ１ｂ，１００ｃ２ａ）とが離間することを特徴とする防音具（１００）が提供される。
【０００８】
請求項２に記載の発明によれば、圧縮コイルばね（１００ａ）の上端部（１００ａ１）に当接するばね座部（１００ｂ１）と、圧縮コイルばね（１００ａ）の外周面に対向する壁部（１００ｂ２）と、壁部（１００ｂ２）の外側に位置する外周部（１００ｂ３）とを、上側部材（１００ｂ）に形成し、
上側部材（１００ｂ）の壁部（１００ｂ２）の下端部にフック部（１００ｂ２ｂ）を形成し、
床面に当接する底部（１００ｃ１）と、上側部材（１００ｂ）の外周部（１００ｂ３）に対向する壁部（１００ｃ２）とを、下側部材（１００ｃ）に形成し、
圧縮コイルばね（１００ａ）が延びた時に上側部材（１００ｂ）の壁部（１００ｂ２）のフック部（１００ｂ２ｂ）に係止するフック部（１００ｃ２ｂ）を、下側部材（１００ｃ）の壁部（１００ｃ２）の上端部に形成し、
椅子が引き摺られる時に、圧縮コイルばね（１００ａ）が延びて、上側部材（１００ｂ）の壁部（１００ｂ２）の下面（１００ｂ２ａ）と、下側部材（１００ｃ）の底部（１００ｃ１）の上面（１００ｃ１ｂ）とが離間すると共に、上側部材（１００ｂ）の外周部（１００ｂ３）の下面（１００ｂ３ａ）と、下側部材（１００ｃ）の壁部（１００ｃ２）の上面（１００ｃ２ａ）とが離間し、
椅子の使用時に、圧縮コイルばね（１００ａ）が押し潰されて、上側部材（１００ｂ）の壁部（１００ｂ２）の下面（１００ｂ２ａ）と、下側部材（１００ｃ）の底部（１００ｃ１）の上面（１００ｃ１ｂ）とが当接すると共に、上側部材（１００ｂ）の外周部（１００ｂ３）の下面（１００ｂ３ａ）と、下側部材（１００ｃ）の壁部（１００ｃ２）の上面（１００ｃ２ａ）とが当接することを特徴とする請求項１に記載の防音具（１００）が提供される。
【発明の効果】
【０００９】
請求項１に記載の防音具（１００）は、椅子の脚（２００）の下面と床面との間に配置される。
【００１０】
詳細には、請求項１に記載の防音具（１００）では、圧縮コイルばね（１００ａ）と、圧縮コイルばね（１００ａ）の上側に配置される上側部材（１００ｂ）と、圧縮コイルばね（１００ａ）の下側に配置される下側部材（１００ｃ）とが設けられている。また、圧縮コイルばね（１００ａ）より変形しづらい材料によって上側部材（１００ｂ）が形成されている。更に、圧縮コイルばね（１００ａ）より変形しづらい材料によって下側部材（１００ｃ）が形成されている。更に、上側部材（１００ｂ）が椅子の脚（２００）の下面に対して直接的または間接的に接続される。
【００１１】
また、請求項１に記載の防音具（１００）では、椅子の使用時に、圧縮コイルばね（１００ａ）が押し潰されて、上側部材（１００ｂ）の下面（１００ｂ２ａ，１００ｂ３ａ）と、下側部材（１００ｃ）の上面（１００ｃ１ｂ，１００ｃ２ａ）とが当接する。
【００１２】
つまり、請求項１に記載の防音具（１００）では、椅子の使用時に、圧縮コイルばね（１００ａ）より変形しづらい材料によって形成された上側部材（１００ｂ）の下面（１００ｂ２ａ，１００ｂ３ａ）と、圧縮コイルばね（１００ａ）より変形しづらい材料によって形成された下側部材（１００ｃ）の上面（１００ｃ１ｂ，１００ｃ２ａ）とが当接する。
【００１３】
すなわち、請求項１に記載の防音具（１００）では、椅子の使用時に、変形しづらい材料によって形成された上側部材（１００ｂ）の下面（１００ｂ２ａ，１００ｂ３ａ）と、変形しづらい材料によって形成された下側部材（１００ｃ）の上面（１００ｃ１ｂ，１００ｃ２ａ）とが当接する。
【００１４】
換言すれば、請求項１に記載の防音具（１００）では、椅子の使用時に、変形しやすい材料によって形成された圧縮コイルばね（１００ａ）が、椅子の脚（２００）の下面と床面との間に実質的に介在しない。
【００１５】
そのため、請求項１に記載の防音具（１００）によれば、変形しやすい材料によって形成された部材が椅子の脚（２００）の下面と床面との間に介在する場合よりも、椅子の座り心地を安定させることができる。
【００１６】
更に、請求項１に記載の防音具（１００）では、椅子が引き摺られる時に、圧縮コイルばね（１００ａ）が延びて、上側部材（１００ｂ）の下面（１００ｂ２ａ，１００ｂ３ａ）と、下側部材（１００ｃ）の上面（１００ｃ１ｂ，１００ｃ２ａ）とが離間する。
【００１７】
つまり、請求項１に記載の防音具（１００）では、床面と下側部材（１００ｃ）との擦れに伴う下側部材（１００ｃ）の振動が、圧縮コイルばね（１００ａ）によって遮られ、上側部材（１００ｂ）および椅子の脚（２００）に殆ど伝わらない。
【００１８】
そのため、請求項１に記載の防音具（１００）によれば、椅子が引き摺られる時に発生する椅子の脚（２００）のびびり音を低減することができる。
【００１９】
換言すれば、請求項１に記載の防音具（１００）によれば、椅子が引き摺られる時に発生する椅子の脚（２００）のびびり音を低減しつつ、椅子の座り心地を安定させることができる。
【００２０】
請求項２に記載の防音具（１００）では、圧縮コイルばね（１００ａ）の上端部（１００ａ１）に当接するばね座部（１００ｂ１）と、圧縮コイルばね（１００ａ）の外周面に対向する壁部（１００ｂ２）と、壁部（１００ｂ２）の外側に位置する外周部（１００ｂ３）とが、上側部材（１００ｂ）に形成されている。また、上側部材（１００ｂ）の壁部（１００ｂ２）の下端部にフック部（１００ｂ２ｂ）が形成されている。
【００２１】
更に、請求項２に記載の防音具（１００）では、床面に当接する底部（１００ｃ１）と、上側部材（１００ｂ）の外周部（１００ｂ３）に対向する壁部（１００ｃ２）とが、下側部材（１００ｃ）に形成されている。また、圧縮コイルばね（１００ａ）が延びた時に上側部材（１００ｂ）の壁部（１００ｂ２）のフック部（１００ｂ２ｂ）に係止するフック部（１００ｃ２ｂ）が、下側部材（１００ｃ）の壁部（１００ｃ２）の上端部に形成されている。
【００２２】
詳細には、請求項２に記載の防音具（１００）では、椅子が引き摺られる時に、圧縮コイルばね（１００ａ）が延びて、上側部材（１００ｂ）の壁部（１００ｂ２）の下面（１００ｂ２ａ）と、下側部材（１００ｃ）の底部（１００ｃ１）の上面（１００ｃ１ｂ）とが離間すると共に、上側部材（１００ｂ）の外周部（１００ｂ３）の下面（１００ｂ３ａ）と、下側部材（１００ｃ）の壁部（１００ｃ２）の上面（１００ｃ２ａ）とが離間する。
【００２３】
更に、請求項２に記載の防音具（１００）では、椅子の使用時に、圧縮コイルばね（１００ａ）が押し潰されて、上側部材（１００ｂ）の壁部（１００ｂ２）の下面（１００ｂ２ａ）と、下側部材（１００ｃ）の底部（１００ｃ１）の上面（１００ｃ１ｂ）とが当接すると共に、上側部材（１００ｂ）の外周部（１００ｂ３）の下面（１００ｂ３ａ）と、下側部材（１００ｃ）の壁部（１００ｃ２）の上面（１００ｃ２ａ）とが当接する。
【００２４】
そのため、請求項２に記載の防音具（１００）によれば、椅子の使用時に上側部材（１００ｂ）の壁部（１００ｂ２）の下面（１００ｂ２ａ）と、下側部材（１００ｃ）の底部（１００ｃ１）の上面（１００ｃ１ｂ）とが当接するものの、上側部材（１００ｂ）の外周部（１００ｂ３）の下面（１００ｂ３ａ）と、下側部材（１００ｃ）の壁部（１００ｃ２）の上面（１００ｃ２ａ）とが当接しない場合や、椅子の使用時に上側部材（１００ｂ）の外周部（１００ｂ３）の下面（１００ｂ３ａ）と、下側部材（１００ｃ）の壁部（１００ｃ２）の上面（１００ｃ２ａ）とが当接するものの、上側部材（１００ｂ）の壁部（１００ｂ２）の下面（１００ｂ２ａ）と、下側部材（１００ｃ）の底部（１００ｃ１）の上面（１００ｃ１ｂ）とが当接しない場合よりも、椅子の座り心地の安定性を向上させることができる。
【図面の簡単な説明】
【００２５】
【図１】第１の実施形態の防音具１００を示した図である。
【図２】第１の実施形態の防音具１００を構成する部品の単品図である。
【図３】椅子の使用時における第１の実施形態の防音具１００と椅子の脚２００と床面との関係などを示した図である。
【図４】第５の実施形態の防音具１００を示した図である。
【発明を実施するための形態】
【００２６】
以下、本発明の防音具の第１の実施形態について説明する。図１は第１の実施形態の防音具１００を示した図である。詳細には、図１は第１の実施形態の防音具１００の鉛直断面図である。図２は第１の実施形態の防音具１００を構成する部品の単品図である。詳細には、図２（Ａ）は図１に示す第１の実施形態の防音具１００の一部を構成する、釘１００ｄがインサートされた上側部材１００ｂの鉛直断面図である。図２（Ｂ）は図１に示す第１の実施形態の防音具１００の一部を構成する圧縮コイルばね１００ａの正面図である。図２（Ｃ）は図１に示す第１の実施形態の防音具１００の一部を構成する下側部材１００ｃの鉛直断面図である。
【００２７】
図３は椅子の使用時における第１の実施形態の防音具１００と椅子の脚２００と床面との関係などを示した図である。詳細には、図３（Ａ）は椅子の使用時における第１の実施形態の防音具１００と椅子の脚２００と床面との関係を示した図である。図３（Ｂ）は椅子が引き摺られる時における第１の実施形態の防音具１００と椅子の脚２００と床面との関係を示した図である。
【００２８】
第１の実施形態の防音具１００は、図３に示すように、椅子の脚２００の下面と床面との間に配置される。
【００２９】
詳細には、第１の実施形態の防音具１００では、図１および図２に示すように、圧縮コイルばね１００ａと、圧縮コイルばね１００ａの上側に配置される上側部材１００ｂと、圧縮コイルばね１００ａの下側に配置される下側部材１００ｃとが設けられている。また、例えばナイロン、ポリエチレン、ポリウレタン、ＡＢＳなどの樹脂材料のような、圧縮コイルばね１００ａより変形しづらい材料によって、上側部材１００ｂが形成されている。更に、例えばナイロン、ポリエチレン、ポリウレタン、ＡＢＳ、フッ素樹脂、軟質塩化ビニルなどの樹脂材料のような、圧縮コイルばね１００ａより変形しづらい材料によって下側部材１００ｃが形成されている。
【００３０】
また、第１の実施形態の防音具１００では、図３に示すように、上側部材１００ｂにインサートされた釘１００ｄによって、上側部材１００ｂと椅子の脚２００とが接続されている。つまり、第１の実施形態の防音具１００では、図３に示すように、上側部材１００ｂの上面１００ｂ４（図２（Ａ）参照）と椅子の脚２００の下面とが、直接接触している。すなわち、第１の実施形態の防音具１００では、上側部材１００ｂが椅子の脚２００の下面に対して直接的に接続されている。
【００３１】
更に、第１の実施形態の防音具１００では、図２（Ａ）に示すように、圧縮コイルばね１００ａ（図２（Ｂ）参照）の上端部１００ａ１（図２（Ｂ）参照）に当接するばね座部１００ｂ１と、圧縮コイルばね１００ａ（図２（Ｂ）参照）の外周面に対向する壁部１００ｂ２と、壁部１００ｂ２の外側に位置する外周部１００ｂ３とが、上側部材１００ｂに形成されている。また、上側部材１００ｂの壁部１００ｂ２の下端部にフック部１００ｂ２ｂが形成されている。
【００３２】
第１の実施形態の防音具１００では、図２（Ａ）に示すように、上側部材１００ｂの壁部１００ｂ２の下端部のフック部１００ｂ２ｂが、例えば周方向に９０°間隔で４箇所に設けられているが、第２の実施形態の防音具１００では、代わりに、上側部材１００ｂの壁部１００ｂ２の下端部のフック部１００ｂ２ｂを、複数（４を除く、２以上の任意の数）箇所に設けることも可能である。
【００３３】
更に、第１の実施形態の防音具１００では、図２（Ｃ）に示すように、床面（図３参照）に当接する底部１００ｃ１と、上側部材１００ｂ（図２（Ａ）参照）の外周部１００ｂ３（図２（Ａ）参照）に対向する壁部１００ｃ２とが、下側部材１００ｃに形成されている。また、圧縮コイルばね１００ａ（図２（Ｂ）参照）が延びた時に上側部材１００ｂ（図２（Ａ）参照）の壁部１００ｂ２（図２（Ａ）参照）のフック部１００ｂ２ｂ（図２（Ａ）参照）に係止するフック部１００ｃ２ｂが、下側部材１００ｃの壁部１００ｃ２の上端部に形成されている。
【００３４】
第１の実施形態の防音具１００の製造時には、図１に示すように、上側部材１００ｂのばね座部１００ｂ１（図２（Ａ）参照）と圧縮コイルばね１００ａの上端部１００ａ１（図２（Ｂ）参照）とが対向せしめられ、下側部材１００ｃのばね座部１００ｃ１ｂ１（図２（Ｃ）参照）と圧縮コイルばね１００ａの下端部１００ａ２（図２（Ｂ）参照）とが対向せしめられ、上側部材１００ｂのフック部１００ｂ２ｂ（図２（Ａ）参照）が下側部材１００ｃのフック部１００ｃ２ｂ（図２（Ｃ）参照）を乗り越えるように、上側部材１００ｂが下側部材１００ｃに対して押し下げられ、上側部材１００ｂと下側部材１００ｃとがスナップフィットによって結合される。
【００３５】
このように製造された第１の実施形態の防音具１００が椅子の脚２００（図３参照）の下面に取り付けられておらず、椅子の重さ相当の荷重が圧縮コイルばね１００ａ（図２（Ｂ）参照）にかかっていない時には、図１に示すように、圧縮コイルばね１００ａが延びており、上側部材１００ｂ（図２（Ａ）参照）の壁部１００ｂ２（図２（Ａ）参照）の下端部のフック部１００ｂ２ｂ（図２（Ａ）参照）の上面１００ｂ２ｂ１（図２（Ａ）参照）と、下側部材１００ｃ（図２（Ｃ）参照）の壁部１００ｃ２（図２（Ｃ）参照）の上端部のフック部１００ｃ２ｂ（図２（Ｃ）参照）の下面１００ｃ２ｂ１（図２（Ｃ）参照）とが当接している。
【００３６】
第１の実施形態の防音具１００が椅子の脚２００（図３参照）の下面に取り付けられ、椅子が使用される時、つまり、椅子の使用者の体重および椅子の重さ相当の荷重が圧縮コイルばね１００ａ（図２（Ｂ）参照）にかかった時には、図３（Ａ）に示すように、圧縮コイルばね１００ａが押し潰されて、上側部材１００ｂ（図２（Ａ）参照）の下面１００ｂ２ａ，１００ｂ３ａ（図２（Ａ）参照）と、下側部材１００ｃ（図２（Ｃ）参照）の上面１００ｃ１ｂ，１００ｃ２ａ（図２（Ｃ）参照）とが当接する。
【００３７】
つまり、第１の実施形態の防音具１００では、図３（Ａ）に示すように、椅子の使用時に、圧縮コイルばね１００ａより変形しづらい材料によって形成された上側部材１００ｂの下面１００ｂ２ａ，１００ｂ３ａ（図２（Ａ）参照）と、圧縮コイルばね１００ａより変形しづらい材料によって形成された下側部材１００ｃの上面１００ｃ１ｂ，１００ｃ２ａ（図２（Ｃ）参照）とが当接する。
【００３８】
すなわち、第１の実施形態の防音具１００では、図３（Ａ）に示すように、椅子の使用時に、変形しづらい材料によって形成された上側部材１００ｂの下面１００ｂ２ａ，１００ｂ３ａ（図２（Ａ）参照）と、変形しづらい材料によって形成された下側部材１００ｃの上面１００ｃ１ｂ，１００ｃ２ａ（図２（Ｃ）参照）とが当接する。
【００３９】
換言すれば、第１の実施形態の防音具１００では、図３（Ａ）に示すように、椅子の使用時に、変形しやすい材料によって形成された圧縮コイルばね１００ａが、椅子の脚２００の下面と床面との間に実質的に介在しない。
【００４０】
そのため、第１の実施形態の防音具１００によれば、変形しやすい材料によって形成された部材が椅子の脚２００の下面と床面との間に介在する場合よりも、椅子の座り心地を安定させることができる。
【００４１】
一方、椅子が引き摺られる時には、圧縮コイルばね１００ａ（図２（Ｂ）参照）にかかる椅子の使用者の荷重が減少し、図３（Ｂ）に示すように、圧縮コイルばね１００ａが延びて、上側部材１００ｂの下面１００ｂ２ａ，１００ｂ３ａ（図２（Ａ）参照）と、下側部材１００ｃの上面１００ｃ１ｂ，１００ｃ２ａ（図２（Ｃ）参照）とが離間する。
【００４２】
つまり、第１の実施形態の防音具１００では、図３（Ｂ）に示すように椅子が引き摺られる時に、床面と下側部材１００ｃとの擦れに伴う下側部材１００ｃの振動が、圧縮コイルばね１００ａによって遮られ、上側部材１００ｂおよび椅子の脚２００に殆ど伝わらない。
【００４３】
そのため、第１の実施形態の防音具１００によれば、椅子が引き摺られる時に発生する椅子の脚２００のびびり音を低減することができる。
【００４４】
換言すれば、第１の実施形態の防音具１００によれば、椅子が引き摺られる時に発生する椅子の脚２００のびびり音を低減しつつ、椅子の座り心地を安定させることができる。
【００４５】
詳細には、第１の実施形態の防音具１００では、椅子が引き摺られる時に、図３（Ｂ）に示すように、圧縮コイルばね１００ａが延びて、上側部材１００ｂの壁部１００ｂ２（図２（Ａ）参照）の下面１００ｂ２ａと、下側部材１００ｃの底部１００ｃ１（図２（Ｃ）参照）の上面１００ｃ１ｂ（図２（Ｃ）参照）とが離間すると共に、上側部材１００ｂの外周部１００ｂ３（図２（Ａ）参照）の下面１００ｂ３ａと、下側部材１００ｃの壁部１００ｃ２（図２（Ｃ）参照）の上面１００ｃ２ａとが離間する。
【００４６】
一方、第１の実施形態の防音具１００では、椅子の使用時に、図３（Ａ）に示すように、圧縮コイルばね１００ａが押し潰されて、上側部材１００ｂの壁部１００ｂ２（図２（Ａ）参照）の下面１００ｂ２ａ（図２（Ａ）参照）と、下側部材１００ｃの底部１００ｃ１（図２（Ｃ）参照）の上面１００ｃ１ｂ（図２（Ｃ）参照）とが当接すると共に、上側部材１００ｂの外周部１００ｂ３（図２（Ａ）参照）の下面１００ｂ３ａ（図２（Ａ）参照）と、下側部材１００ｃの壁部１００ｃ２（図２（Ｃ）参照）の上面１００ｃ２ａ（図２（Ｃ）参照）とが当接する。
【００４７】
そのため、第１の実施形態の防音具１００によれば、椅子の使用時に上側部材１００ｂの壁部１００ｂ２の下面１００ｂ２ａと、下側部材１００ｃの底部１００ｃ１の上面１００ｃ１ｂとが当接するものの、上側部材１００ｂの外周部１００ｂ３の下面１００ｂ３ａと、下側部材１００ｃの壁部１００ｃ２の上面１００ｃ２ａとが当接しない場合や、椅子の使用時に上側部材１００ｂの外周部１００ｂ３の下面１００ｂ３ａと、下側部材１００ｃの壁部１００ｃ２の上面１００ｃ２ａとが当接するものの、上側部材１００ｂの壁部１００ｂ２の下面１００ｂ２ａと、下側部材１００ｃの底部１００ｃ１の上面１００ｃ１ｂとが当接しない場合よりも、椅子の座り心地の安定性を向上させることができる。
【００４８】
第１の実施形態の防音具１００では、椅子の使用時に、図３（Ａ）に示すように、上側部材１００ｂの壁部１００ｂ２（図２（Ａ）参照）の下面１００ｂ２ａ（図２（Ａ）参照）と、下側部材１００ｃの底部１００ｃ１（図２（Ｃ）参照）の上面１００ｃ１ｂ（図２（Ｃ）参照）とが当接すると共に、上側部材１００ｂの外周部１００ｂ３（図２（Ａ）参照）の下面１００ｂ３ａ（図２（Ａ）参照）と、下側部材１００ｃの壁部１００ｃ２（図２（Ｃ）参照）の上面１００ｃ２ａ（図２（Ｃ）参照）とが当接するが、上側部材１００ｂの外周部１００ｂ３の下面１００ｂ３ａと、下側部材１００ｃの壁部１００ｃ２の上面１００ｃ２ａとが当接することによって、椅子の座り心地の安定性を十分に確保することができる第３の実施形態の防音具１００では、代わりに、椅子の使用時に、上側部材１００ｂの外周部１００ｂ３の下面１００ｂ３ａと、下側部材１００ｃの壁部１００ｃ２の上面１００ｃ２ａとを当接させ、上側部材１００ｂの壁部１００ｂ２の下面１００ｂ２ａと、下側部材１００ｃの底部１００ｃ１の上面１００ｃ１ｂとを離間させることも可能である。
【００４９】
第１の実施形態の防音具１００では、図３に示すように、釘１００ｄによって上側部材１００ｂと椅子の脚２００の下面とが接続されているが、第４の実施形態の防音具１００では、例えば接着、ねじ止めなどのような釘１００ｄ以外の任意の手段によって、上側部材１００ｂと椅子の脚２００の下面とを接続することも可能である。
【００５０】
図４は第５の実施形態の防音具１００を示した図である。詳細には、図４は第５の実施形態の防音具１００の鉛直断面図である。第１の実施形態の防音具１００では、図１に示すように、釘１００ｄが上側部材１００ｂにインサートされているが、第４の実施形態の防音具１００では、図４に示すように、釘１００ｄが中間部材１００ｅにインサートされ、例えばスナップフィット、接着等によって、中間部材１００ｅが上側部材１００ｂに接続されている。すなわち、第５の実施形態の防音具１００では、上側部材１００ｂ（図４参照）が椅子の脚２００（図３参照）の下面に対して間接的に接続されている。
【００５１】
第６の実施形態では、上述した第１から第５の実施形態を適宜組み合わせることも可能である。
【符号の説明】
【００５２】
１００                                          防音具
１００ａ                                        圧縮コイルばね
１００ａ１，１００ａ２                          端部
１００ｂ                                        上側部材
１００ｂ１                                      ばね座部
１００ｂ２                                      壁部
１００ｂ２ａ                                    下面
１００ｂ２ｂ                                    フック部
１００ｂ２ｂ１                                  上面
１００ｂ３                                      外周部
１００ｂ３ａ                                    下面
１００ｂ４                                      上面
１００ｃ                                        下側部材
１００ｃ１                                      底部
１００ｃ１ａ                                    下面
１００ｃ１ｂ                                    上面
１００ｃ１ｂ１                                  ばね座部
１００ｃ１ｂ２                                  当接部
１００ｃ２                                      壁部
１００ｃ２ａ                                    上面
１００ｃ２ｂ                                    フック部
１００ｃ２ｂ１                                  下面
１００ｄ                                        釘
１００ｅ                                        中間部材
２００                                          脚
【図１】
2015013049.tif 000003
【図２】
2015013049.tif 000004
【図３】
2015013049.tif 000005
【図４】
2015013049.tif 000006